【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
ネットワークノードであって、
WDM光信号を光伝送ネットワークの異なる光伝送経路にそれぞれ向け、光伝送ネットワークの異なる光伝送経路からWDM光信号を受け取る、複数のネットワーク方路インターフェースであって、前記ネットワーク方路インターフェースの各々は、前記ネットワーク方路インターフェースのいずれか1つで受け取られるWDM光信号のいずれか1つまたは複数の波長成分が、前記ネットワーク方路インターフェースの他のいずれかに向きを変えることができるように、互いに光学的に結合される、複数のネットワーク方路インターフェースと、
分岐波長選択スイッチ(WSS)および挿入WSSを含む挿入/分岐インターフェースであって、前記分岐WSSは、各々が前記ネットワーク方路インターフェースの異なる1つから波長成分を受け取るように光学的に結合される複数の入力および複数の出力を有し、前記挿入WSSは、各々が前記ネットワーク方路インターフェースの異なる1つに波長成分を向けるように光学的に結合される複数の出力および複数の入力を有し、前記挿入および分岐WSSはそれぞれ、前記入力の任意の2つによって受け取られる光ビームの前記波長成分が前記出力の共通する1つに同時に向けることができないならば、その入力のいずれかで受け取られる前記波長成分の任意のサブセットをその光出力の異なる1つに選択的に向けるように構成され、前記挿入または分岐WSSの少なくとも1つは、光ビームを複数の波長成分に空間的に分離するための波長分散素子、および前記光ビームの前記複数の波長成分を受け取り、前記波長成分を前記入力と前記出力との間に選択的に向けるためのスイッチング配置を備え、前記スイッチング配置は、空間的に分離された波長成分が向けられる第1の領域および波長成分の前記選択的に向けられるサブセットの各々が、前記サブセットの各々内の前記波長成分が互いに空間的に再合成された後に向けられる第2の領域を有する少なくとも1つの光ビームステアリング配置を含む、挿入/分岐インターフェースと、
各々が前記分岐WSSの異なる出力および前記挿入WSSの異なる入力に光学的に結合される、複数のトランスポンダポートと、
を備える、ネットワークノード。
【請求項２】
前記挿入および分岐WSSはそれぞれ、任意の所与の時間に前記出力のいずれか所与の1つに前記波長成分のただ1つだけを選択的に向けるようにさらに構成される、請求項1に記載のネットワークノード。
【請求項３】
前記少なくとも1つの光ビームステアリング配置は、前記第1および第2の領域が位置する単一光ビームステアリング配置を含む、請求項1に記載のネットワークノード。
【請求項４】
前記光ビームステアリング配置は、第1および第2の光ビームステアリング配置を含み、前記第1の領域は、前記第1の光ビームステアリング配置上に位置し、前記第2の領域は、前記第2の光ビームステアリング配置上に位置する、請求項1に記載のネットワークノード。
【請求項５】
前記少なくとも1つの光ビームステアリング配置は、プログラム可能な光位相変調器を含む、請求項1に記載のネットワークノード。
【請求項６】
前記第1および第2の光ビームステアリング配置は、第1および第2のプログラム可能な光位相変調器を含む、請求項4に記載のネットワークノード。
【請求項７】
前記第1および第2の光ビームステアリング配置は、プログラム可能な光位相変調器およびMEMSベースのデバイスを含む、請求項4に記載のネットワークノード。
【請求項８】
前記第1の光ビームステアリング配置は、プログラム可能な光位相変調器であり、前記第2の光ビームステアリング配置は、MEMSベースのデバイスである、請求項4に記載のネットワークノード。
【請求項９】
前記スイッチング配置は、前記波長成分が、空間的に分離される波長成分に分散されている間、またそれらが非分散であるときにも、前記波長成分のうちの選択される波長成分を切り替えるように構成される、請求項1に記載のネットワークノード。
【請求項１０】
複数のネットワークノードと、
前記ネットワークノードの各々を他のネットワークノードの少なくとも1つに光学的に結合する複数の光伝送経路と、
を備える光伝送ネットワークであって、前記ネットワークノードの少なくとも1つは、
WDM光信号を光伝送ネットワークの異なる光伝送経路にそれぞれ向け、光伝送ネットワークの異なる光伝送経路からWDM光信号を受け取る、複数のネットワーク方路インターフェースであって、前記ネットワーク方路インターフェースの各々は、前記ネットワーク方路インターフェースのいずれか1つで受け取られるWDM光信号のいずれか1つまたは複数の波長成分が、前記ネットワーク方路インターフェースの他のいずれかに向きを変えることができるように、互いに光学的に結合される、複数のネットワーク方路インターフェースと、
分岐波長選択スイッチ(WSS)および挿入WSSを含む挿入/分岐インターフェースであって、前記分岐WSSは、各々が前記ネットワーク方路インターフェースの異なる1つから波長成分を受け取るように光学的に結合される複数の入力および複数の出力を有し、前記挿入WSSは、各々が前記ネットワーク方路インターフェースの異なる1つに波長成分を向けるように光学的に結合される複数の出力および複数の入力を有する、挿入/分岐インターフェースと、
各々が前記分岐WSSの異なる出力および前記挿入WSSの異なる入力に光学的に結合される複数のトランスポンダポートと、
を含み、前記挿入および分岐WSSはそれぞれ、
光ビームを前記入力から受け取り、前記光ビームの各々を複数の波長成分に空間的に分離するための波長分散配置と、
前記空間的に分離された波長成分が向けられる第1の領域および前記光ビームの各々の前記複数の波長成分の任意のサブセットが、前記サブセットの各々内の前記波長成分が互いに空間的に再合成された後に選択的に向けられる第2の領域を有する少なくとも1つの光ビームステアリング配置であって、前記複数の波長成分の前記サブセットの各々を前記出力の異なる1つに選択的に向ける前記少なくとも1つの光ビームステアリング配置と、
を含む、光伝送ネットワーク。
【請求項１１】
前記少なくとも1つの光ビームステアリング配置は、前記第1および第2の領域が位置する単一のプログラム可能な光位相変調器を含む、請求項10に記載の光伝送ネットワーク。
【請求項１２】
前記少なくとも光ビームステアリング配置は、第1および第2のプログラム可能な光位相変調器を含み、前記第1の領域は、前記第1のプログラム可能な光位相変調器上に位置し、前記第2の領域は、前記第2のプログラム可能な光位相変調器上に位置する、請求項10に記載の光伝送ネットワーク。
【請求項１３】
前記第2の領域は、波長成分の前記空間的に再合成されたサブセットが、前記少なくとも1つの光ビームステアリング配置によって選択的に向きを変えることができる複数の位置を含み、前記位置の各々は、前記位置の所与の1つに向けられる前記サブセットのいずれかが、前記所与の位置と関連する前記出力によって受け取られるように、前記出力の異なる1つと関連付けられる、請求項10に記載の光伝送ネットワーク。
【請求項１４】
前記少なくとも光ビームステアリング配置は、プログラム可能な光位相変調器およびMEMSベースのデバイスを含み、前記第1の領域は、前記プログラム可能な光位相変調器上に位置し、前記第2の領域は、前記MEMSベースのデバイス上に位置する、請求項10に記載の光伝送ネットワーク。
【請求項１５】
ネットワークノードであって、
WDM光信号を光伝送ネットワークの異なる光伝送経路にそれぞれ向け、光伝送ネットワークの異なる光伝送経路からWDM光信号を受け取る、複数のネットワーク方路インターフェースであって、前記ネットワーク方路インターフェースの各々は、前記ネットワーク方路インターフェースのいずれか1つで受け取られるWDM光信号のいずれか1つまたは複数の波長成分が、前記ネットワーク方路インターフェースの他のいずれかに向きを変えることができるように、互いに光学的に結合される、複数のネットワーク方路インターフェースと、
分岐波長選択スイッチ(WSS)および挿入WSSを含む挿入/分岐インターフェースであって、前記分岐WSSは、各々が前記ネットワーク方路インターフェースの異なる1つから波長成分を受け取るように光学的に結合される複数の入力および複数の出力を有し、前記挿入WSSは、各々が前記ネットワーク方路インターフェースの異なる1つに波長成分を向けるように光学的に結合される複数の出力および複数の入力を有し、前記挿入および分岐WSSはそれぞれ、その入力のいずれかで受け取られる前記波長成分の任意のサブセットをその光出力の異なる1つに選択的に向けるように構成され、前記挿入または分岐WSSの少なくとも1つは、光ビームを複数の波長成分に空間的に分離するための波長分散素子、および前記光ビームの前記複数の波長成分を受け取り、前記波長成分を前記入力と前記出力との間に選択的に向けるためのスイッチング配置を備え、前記スイッチング配置は、空間的に分離された波長成分が向けられる第1の領域および波長成分の前記選択的に向けられるサブセットの各々が、前記サブセットの各々内の前記波長成分が互いに空間的に再合成された後に向けられる第2の領域を有する少なくとも1つの光ビームステアリング配置を含む、挿入/分岐インターフェースと、
各々が前記分岐WSSの異なる出力および前記挿入WSSの異なる入力に光学的に結合される、複数のトランスポンダポートと、
を備える、ネットワークノード。
【請求項１６】
前記挿入および分岐WSSはそれぞれ、任意の所与の時間に前記出力のいずれか所与の1つに前記波長成分のただ1つだけを選択的に向けるようにさらに構成される、請求項15に記載のネットワークノード。
【請求項１７】
前記少なくとも1つの光ビームステアリング配置は、前記第1および第2の領域が位置する単一光ビームステアリング配置を含む、請求項15に記載のネットワークノード。
【請求項１８】
前記光ビームステアリング配置は、第1および第2の光ビームステアリング配置を含み、前記第1の領域は、前記第1の光ビームステアリング配置上に位置し、前記第2の領域は、前記第2の光ビームステアリング配置上に位置する、請求項15に記載のネットワークノード。
【請求項１９】
前記少なくとも1つの光ビームステアリング配置は、プログラム可能な光位相変調器を含む、請求項15に記載のネットワークノード。
【請求項２０】
前記第1および第2の光ビームステアリング配置は、第1および第2のプログラム可能な光位相変調器を含む、請求項18に記載のネットワークノード。
【請求項２１】
前記第1および第2の光ビームステアリング配置は、プログラム可能な光位相変調器およびMEMSベースのデバイスを含む、請求項18に記載のネットワークノード。
【請求項２２】
前記第1の光ビームステアリング配置は、プログラム可能な光位相変調器であり、前記第2の光ビームステアリング配置は、MEMSベースのデバイスである、請求項18に記載のネットワークノード。
【請求項２３】
前記スイッチング配置は、前記波長成分が、空間的に分離される波長成分に分散されている間、またそれらが非分散であるときにも、前記波長成分のうちの選択される波長成分を切り替えるように構成される、請求項15に記載のネットワークノード。